(57)【要約】【課題】外枠から前枠を容易に着脱することができる遊技機用のヒンジを提供する。【解決手段】上部前枠ヒンジ１７は、前枠に固定されるヒンジ本体２３と、ヒンジ本体２３に水平移動可能に設けられる軸受体２４とを備えている。また、上部前枠ヒンジ１７はヒンジ本体２３に水平移動可能に設けられるロック体２５と、ロック体２５の水平移動を案内する案内プレート２６を備えている。さらに、ヒンジ本体２３にリベット２７によって回動可能に軸支される支持体２８と、軸受体２４を付勢する圧縮コイルばね２９とを備えている。軸受体２４とロック体２５には、それぞれ第１軸支凹部３３及び第２軸支凹部３４が凹設されている。軸受体２４とロック体２５は直線運動し、これらの直線運動は支持体２８の回動によって連動するようになっている。そして、第１軸支凹部３３及び第２軸支凹部３４は、外枠に設けられる上部支軸を挟持できるようになっている。【選択図】　　　図１
2004008237.tif 000002
【特許請求の範囲】
【請求項１】
垂直方向に延びる縦枠材と水平方向に延びる横枠材から四角枠状に形成されて外郭をなす外枠と、遊技盤が保持されて前記外枠に重なるように設けられる前枠とを備えた遊技機に用いられ、前記前枠の上端隅部及び下端隅部を外枠の一側に軸支して外枠に対して前枠を回動かつ着脱可能にする遊技機用のヒンジにおいて、前記前枠と外枠の一方に固定されるヒンジ本体と、該ヒンジ本体に水平移動可能に設けられる軸受体と、ヒンジ本体に水平移動可能に設けられるロック体と、前記軸受体又はロック体の水平移動を案内する案内部材と、ヒンジ本体に回動軸によって回動可能に軸支される支持体と、前記軸受体又はロック体を付勢する付勢部材とを備え、前記軸受体とロック体には前枠と外枠の他方に立設される支持軸を支持する軸支部が設けられ、軸受体の軸支部には支持軸が水平方向から挿入可能であり、軸受体とロック体は直線運動するとともに前記付勢部材の付勢力によって各軸支部は支持軸を挟持することができ、支持体の回動によって軸受体とロック体の直線運動が連動されることを特徴とする遊技機用のヒンジ。
【請求項２】
前記支持体、軸受体及びロック体にはピン又は長孔が設けられ、該ピンと長孔の係合によって軸受体とロック体が連動される請求項１に記載の遊技機用のヒンジ。
【請求項３】
前記長孔の長手方向は、軸受体とロック体が直線運動する方向と直交するように設けられている請求項２に記載の遊技機用のヒンジ。
【発明の詳細な説明】
【０００１】
【発明の属する技術分野】
本発明は、パチンコ遊技機等の遊技機において、枠内に遊技盤を保持する前枠を外枠に回動かつ着脱可能に軸支するための遊技機用のヒンジに関するものである。
【０００２】
【従来の技術】
従来、遊技機の一種であるパチンコ遊技機は、その外郭が外枠により形成され、この外枠の前面には、四角枠状をなす前枠が開閉可能に軸支されている。この前枠には、打球発射装置、球皿等のパチンコゲームを展開可能とする遊技構成部材が搭載できるとともに、枠内には遊技盤を保持できるようになっている。
【０００３】
外枠の上端隅部には正面横Ｌ字状の上部外枠ヒンジが取着されている。この上部外枠ヒンジには、上部支軸が垂下されている。一方、外枠の下端隅部には正面Ｌ字状の下部外枠ヒンジが取着されている。この下部外枠ヒンジには下部支軸が上方に延びるように設けられている。
【０００４】
前枠の上端隅部には、側面逆Ｌ字状の上部前枠ヒンジが取着されている。この上部前枠ヒンジは、前枠にねじによって取着されるヒンジ本体と、平面Ｕ字状の軸受金具と、合成樹脂から鍵形状に形成されたロックレバーとを備えている。
【０００５】
この軸受金具には軸支凹部が後方に開口するように凹設され、この軸支凹部には上部支軸が水平方向から挿入可能となっている。そして、軸支凹部はその内面によって上部支軸を回動可能に支持することができる。
【０００６】
ロックレバーの基端部には、平面扇形状のロック部が設けられるとともに、ロック部の先端にはレバー片が突設されている。このレバー片は支持ピンによってヒンジ本体に回動可能に支持されている。そして、ロック部の回動によって軸支凹部の開口部分は開閉されるようになっている。また、ロック部はねじりコイルばねの付勢力によって軸支凹部の開口部分を閉止する方向に付勢されている。
【０００７】
前枠の下端隅部には側面Ｌ字状の下部前枠ヒンジが取着されている。この下部前枠ヒンジには下部支軸挿通孔が透設され、下部支軸挿通孔の下方から下部支軸が挿通されることによって下部外枠ヒンジに下部前枠ヒンジが回動可能に軸支されている。
【０００８】
前枠を外枠に取着するには、まず下部支軸挿通孔に下部支軸を挿通させる。次に上部支軸をロック部に摺動させることによって、ロック部をねじりコイルばねの付勢力に抗して回動させて、軸支凹部の開口部分から上部支軸を軸支凹部に挿入させる。このとき、ロック部はねじりコイルばねの付勢力によって軸支凹部の開口部分を閉止して上部支軸が軸支凹部から抜け止めされる。
【０００９】
また、外枠から前枠を取り外すには、レバー片を手動で回動操作して、ねじりコイルばねの付勢力に抗してロック部を回動させる。そして、軸支凹部の開口部分から上部支軸を抜き出すとともに、下部支軸挿通孔から下部支軸を抜き出すことによって前枠を取り外すようになっている。
【００１０】
【発明が解決しようとする課題】
ところが、上記従来の技術では、外枠から前枠を取り外すには、レバー片を手動で回動操作する必要があるため、外枠から前枠を取り外す操作が面倒であるという問題があった。
【００１１】
本発明は上記従来技術に存在する問題点に着目してなされたものである。本発明の目的は、外枠から前枠を容易に着脱することができる遊技機用のヒンジを提供することにある。
【００１２】
【課題を解決するための手段】
上記の目的を達成するために請求項１に記載の発明の遊技機用のヒンジでは、垂直方向に延びる縦枠材と水平方向に延びる横枠材から四角枠状に形成されて外郭をなす外枠と、遊技盤が保持されて前記外枠に重なるように設けられる前枠とを備えた遊技機に用いられ、前記前枠の上端隅部及び下端隅部を外枠の一側に軸支して外枠に対して前枠を回動かつ着脱可能にする遊技機用のヒンジにおいて、前記前枠と外枠の一方に固定されるヒンジ本体と、該ヒンジ本体に水平移動可能に設けられる軸受体と、ヒンジ本体に水平移動可能に設けられるロック体と、前記軸受体又はロック体の水平移動を案内する案内部材と、ヒンジ本体に回動軸によって回動可能に軸支される支持体と、前記軸受体又はロック体を付勢する付勢部材とを備え、前記軸受体とロック体には前枠と外枠の他方に立設される支持軸を支持する軸支部が設けられ、軸受体の軸支部には支持軸が水平方向から挿入可能であり、軸受体とロック体は直線運動するとともに前記付勢部材の付勢力によって各軸支部は支持軸を挟持することができ、支持体の回動によって軸受体とロック体の直線運動が連動されるものである。
【００１３】
請求項２に記載の発明の遊技機用のヒンジでは、請求項１に記載の発明において、前記支持体、軸受体及びロック体にはピン又は長孔が設けられ、該ピンと長孔の係合によって軸受体とロック体が連動されるものである。
【００１４】
請求項３に記載の発明の遊技機用のヒンジでは、請求項２に記載の発明において、前記長孔の長手方向は、軸受体とロック体が直線運動する方向と直交するように設けられているものである。
【００１５】
【発明の実施の形態】
以下、本発明をパチンコ遊技機用のヒンジに具体化した実施形態を図１〜図４に従って詳細に説明する。なお、以下において上下左右は、パチンコ遊技機を前方から見た場合の上下左右を示すものとする。
【００１６】
図４に示すように、パチンコ遊技機１１は垂直方向に延びる縦枠材１２と水平方向に延びる横枠材１３から縦長四角枠状に形成された外枠１４により外郭が形成されている。この外枠１４の前面には、四角枠状をなす前枠１５が重なるように設けられるとともに、前枠１５の左側上下隅部は外枠１４に回動かつ着脱可能に支持されている。この前枠１５には、打球発射装置、球皿等のパチンコゲームを展開可能とする遊技構成部材が搭載できるとともに、枠内には四角板状の遊技盤１６が保持されている。前枠１５の前面には、図示しないガラス扉が開閉可能に支持され、パチンコ遊技機１１の前面から遊技盤１６が視認可能となっている。このパチンコ遊技機１１は外枠１４が遊技店内等における設置枠台に固定され、島設備を構成している。そして、前枠１５は外枠１４に閉止されるとともに図示しない施錠装置によって施錠されパチンコ遊技機１１は遊技に供されている。
【００１７】
図４に示すように、前枠１５の上端左隅部には遊技機用のヒンジとしての側面逆Ｌ字状の上部前枠ヒンジ１７が取着されている。一方、外枠１４の上端左隅部には正面横Ｌ字状の上部外枠ヒンジ１８が取着されている。図２に示すように、この上部外枠ヒンジ１８は水平方向に延びる水平板１９と垂直方向に延びる垂直板２０から構成され、水平板１９には三角板状の上部軸取付部２１が前方に延びるように形成されている。この上部軸取付部２１の略中央には、支持軸としての上部支軸２２が垂下され、この上部支軸２２は上部前枠ヒンジ１７に回動可能に支持されるようになっている。
【００１８】
上部前枠ヒンジ１７は、図１に示すように前枠１５の上端隅部に固定される側面逆Ｌ字状のヒンジ本体２３と、ヒンジ本体２３に水平移動可能に設けられるＬ字板状の軸受体２４とを備えている。また、上部前枠ヒンジ１７はヒンジ本体２３に水平移動可能に設けられる長四角板状のロック体２５と、ロック体２５の水平移動を案内する案内部材としての四角板状の案内プレート２６を備えている。さらに、ヒンジ本体２３は回動軸としてのリベット２７によって回動可能に軸支されるＣ字板状の支持体２８と、軸受体２４を付勢する付勢部材としての圧縮コイルばね２９とを備えている。
【００１９】
これらのヒンジ本体２３、軸受体２４、ロック体２５、案内プレート２６及び支持体２８は亜鉛メッキ鋼板等の板金からプレス加工によって形成されている。そして、この上部前枠ヒンジ１７は、上部支軸２２を支持することができるとともに、上部支軸２２を水平方向から着脱させることができるものである。
【００２０】
ヒンジ本体２３は、水平方向に延びるように形成される横Ｌ字板状の台座板３０と台座板３０から垂下される長四角板状の固定板３１とから構成されている。台座板３０の下面は、図１に２点鎖線で示す前枠１５の左上隅部上面に当接されるとともに、固定板３１の前面は前枠１５の左上隅部背面に当接されている。そして、図示しないビス等によって固定板３１が前枠１５に固定されることによって、上部前枠ヒンジ１７は前枠１５に固定されている。
【００２１】
図１及び図３（ａ）に示すように、台座板３０の左側には半円板状の台座部３２が形成されている。この台座部３２の右側には、軸受体２４がその下面を台座部３２の上面に重ねるように設けられている。また、軸受体２４の左方にはロック体２５がその下面を台座部３２の上面に重ねるように設けられ、軸受体２４とロック体２５の内側面は隣接するようになっている。
【００２２】
軸受体２４の内側先端には、軸支部としての円弧状の第１軸支凹部３３が凹設されている。この第１軸支凹部３３は前枠１５の左方に向かって開口され、第１軸支凹部３３には水平方向から上部支軸２２が挿入可能となっている。一方、ロック体２５の内側先端には、軸支部としての円弧状の第２軸支凹部３４が凹設されている。図３（ａ）に示すように、これらの第１軸支凹部３３と第２軸支凹部３４は対向するように設けられ、第１軸支凹部３３の開口部分を第２軸支凹部３４が閉口するようになっている。図３（ｃ）に示すように、この閉口状態において第１軸支凹部３３と第２軸支凹部３４は、上部支軸２２を挟持できるようになっている。
【００２３】
軸受体２４の基端側には長四角孔状の第１ばね取付孔３５が透設されている。一方、台座部３２の右側後端には、第１ばね取付孔３５と同形状の第２ばね取付孔３６が透設されている。これらのばね取付孔３５、３６の内側には、圧縮コイルばね２９が圧縮方向を軸受体２４の長手方向に向けて嵌着されている。そして、この圧縮コイルばね２９の付勢力によって軸受体２４は前枠１５の後方に付勢されている。
【００２４】
軸受体２４及びロック体２５の上面には支持体２８が設けられ、この支持体２８の中央には円孔状の第１リベット挿通孔３７が透設されている。また、軸受体２４及びロック体２５の内側面中央には、それぞれ長孔状の第１リベット挿通凹所３８及び第２リベット挿通凹所３９が凹設されている。さらに、台座部３２の中央には円孔状の第２リベット挿通孔４０が透設され、回動軸としてのリベット２７が第１リベット挿通孔３７、第１リベット挿通凹所３８と第２リベット挿通凹所３９の間、第２リベット挿通孔４０の順に挿通されている。そして、リベット２７が台座部３２にかしめ着けされることによって、支持体２８が台座部３２に回動可能に支持されている。
【００２５】
ここで、第１リベット挿通凹所３８及び第２リベット挿通凹所３９は長孔状に形成され、リベット２７の軸部分は第１リベット挿通孔３７の前端及び第２リベット挿通孔４０の後端に位置している。従って、軸受体２４及びロック体２５はそれぞれ台座部３２の前方及び後方に直線運動可能となっている。
【００２６】
このように、支持体２８と台座部３２によって軸受体２４及びロック体２５は挟持され、支持体２８は第１ばね取付孔３５から圧縮コイルばね２９の脱離を防止するようになっている。また、この支持体２８は各軸支凹部３３、３４に対応するように切り欠かれて、第１軸支凹部３３への上部支軸２２の挿入を妨げないようになっている。
【００２７】
軸受体２４及びロック体２５の略中央には、それぞれピンとしての第１ピン４１及び第２ピン４２が上方に向かって垂設されている。一方、第１リベット挿通孔３７の両側部にはそれぞれ長孔としての第１長孔４３及び第２長孔４４が透設され、これらの長孔４３、４４の長手方向は、軸受体２４及びロック体２５が直線運動する方向と直交するように設けられている。また、これらの長孔４３、４４の幅は、各ピン４１、４２が挿通可能な幅に設定され、これらの長孔４３、４４の内端には、それぞれ各ピン４１、４２が挿通されている。そして、各ピン４１、４２はそれぞれ各長孔４３、４４の短手方向において係合可能であるとともに、各ピン４１、４２はそれぞれ各長孔４３、４４の長手方向において外側に向かってスライド可能となっている。
【００２８】
ここで、図３（ｂ）に示すように、軸受体２４が前枠１５の前方に水平移動されると、第１ピン４１によって第１長孔４３の内側面が押圧され、支持体２８がリベット２７を軸として上方から見て時計方向に回動する。このとき、第２長孔４４の内側面によって第２ピン４２が前枠１５の後方に押圧されるとともに、ロック体２５が前枠１５の後方に水平移動する。このように、軸受体２４とロック体２５の直線運動は支持体２８の回動によって連動されるとともに、各ピン４１、４２及び各長孔４３、４４の係合によって連動されるようになっている。
【００２９】
また、軸受体２４を付勢する圧縮コイルばね２９の付勢力は、支持体２８を介してロック体２５に伝達され、ロック体２５は前枠１５の前方に付勢されるようになっている。そして、圧縮コイルばね２９の付勢力によって、第２軸支凹部３４が第１軸支凹部３３の開口部分を閉口した状態に維持されるようになっている。
【００３０】
軸受体２４の先端内側には、斜面状の第１摺動面４５が形成されている。一方、ロック体２５の先端には、第１摺動面４５に対向して斜面状の第２摺動面４６が形成されている。そして、図３（ａ）及び図３（ｂ）に示すようにこれらの摺動面４５、４６が上部支軸２２によって摺動されることによって、軸受体２４が前枠１５の前方にスライドされるとともに、ロック体２５が前枠１５の後方にスライドされるようになっている。
【００３１】
図１に示すように、ロック体２５の左方には案内プレート２６が設けられ、この案内プレート２６の内側面はロック体２５の外側面に当接するようになっている。この案内プレート２６には２つの第１挿通孔４７ａが透設されるとともに、これらの第１挿通孔４７ａに対応して台座部３２には２つの第１ねじ孔４８ａが刻設されている。これらの第１挿通孔４７ａに第１ねじ４９ａが挿通されるとともに、第１ねじ４９ａが第１ねじ孔４８ａに螺入されることによって、案内プレート２６は台座部３２に固定されている。そして、ロック体２５が直線運動する際、この案内プレート２６の内側面はロック体２５の外側面を案内できるようになっている。
【００３２】
台座部３２の下面には四角板状の当接プレート５０が設けられている。この当接プレート５０には２つの第２挿通孔４７ｂが透設されるとともに、これらの第２挿通孔４７ｂに対応して台座部３２には２つの第２ねじ孔４８ｂが刻設されている。これらの第２挿通孔４７ｂに第２ねじ４９ｂが挿通されるとともに、第２ねじ４９ｂが第２ねじ孔４８ｂに螺入されることによって、当接プレート５０は台座部３２に固定されている。そして、この当接プレート５０は台座部３２を補強するとともに、第２ばね取付孔３６から圧縮コイルばね２９が脱離するのを防ぐようになっている。
【００３３】
図２に示すように、外枠１４の下端左隅部には、正面Ｌ字状の下部外枠ヒンジ５１が取着されている。この下部外枠ヒンジ５１には、三角板状の下部軸取付部５２が前方に延びるように形成されている。この下部軸取付部５２の略中央には、下部支軸５３が上方に延びるように設けられ、上部支軸２２と同芯上で対向するようになっている。前枠１５の下端左隅部には側面Ｌ字状の下部前枠ヒンジ５４が取着され、この下部前枠ヒンジ５４には三角板状の下部軸受部５５が前方に延びるように形成されている。この下部軸受部５５の略中央には下部支軸挿通孔５６が透設され、この下部支軸挿通孔５６には下部支軸５３が挿入可能となっている。そして、下部軸取付部５２の上面に下部軸受部５５の下面を重ねるように下部支軸挿通孔５６を下部支軸５３に挿入すると、前枠１５の下部が外枠１４の下部に回動可能に軸支できるようになっている。
【００３４】
さて、上部前枠ヒンジ１７を製造するには、板金をプレス加工（打ち抜き、曲げ等）することによってヒンジ本体２３、軸受体２４、ロック体２５、案内プレート２６、支持体２８及び当接プレート５０を形成する。従って、ヒンジ本体２３、軸受体２４、ロック体２５、案内プレート２６、支持体２８及び当接プレート５０は、ダイカスト等の複雑な加工を施すことなく、プレス加工によって容易に製造することができる。この板金の厚さは、好ましくは０．５〜１０ｍｍ、より好ましくは１〜８ｍｍ、最も好ましくは２〜５ｍｍである。この厚さが２ｍｍ未満であると、上部前枠ヒンジ１７に十分な耐久性が得られないおそれがある。一方、５ｍｍを超えるとプレス加工が困難になるおそれがある。
【００３５】
次に、上部前枠ヒンジ１７を組み立てるには、まず台座部３２に案内プレート２６及び当接プレート５０を固定する。次いで、台座部３２の上面に軸受体２４及びロック体２５を配設し、圧縮コイルばね２９を第１ばね取付孔３５及び第２ばね取付孔３６に嵌着する。続いて、軸受体２４及びロック体２５の上面に支持体２８を配設し、リベット２７を第１リベット挿通孔３７、第１リベット挿通凹所３８と第２リベット挿通凹所３９の間、第２リベット挿通孔４０の順に挿通し、台座部３２にかしめ着けする。
【００３６】
続いて、上部前枠ヒンジ１７を前枠１５に取着するには、台座板３０の下面を前枠１５の左上隅部上面に当接するとともに、固定板３１の前面を前枠１５の左上隅部背面に当接し、ビス等によって固定板３１を前枠１５に締付け固定する。
【００３７】
次に、前枠１５を外枠１４に取着するには図２に示すように、まず外枠１４の前面に前枠１５の前面が略直交するように前枠１５を配置する。次に、前枠１５の上部を前方に傾斜させながら下部支軸５３に下部支軸挿通孔５６を挿通し、下部軸取付部５２に下部軸受部５５を重ねる。続いて、上部支軸２２の先端に各摺動面４５、４６を当接させ、前枠１５の上部を外枠１４に向かって押圧する。このとき、図３（ａ）及び図３（ｂ）に示すように、上部支軸２２によって各摺動面４５、４６は摺動される。そして、軸受体２４は圧縮コイルばね２９の付勢力に抗して前枠１５の前方に水平移動するとともに、ロック体２５は前枠１５の後方に水平移動する。このとき、軸受体２４はロック体２５の内面に案内されるとともに、ロック体２５は案内プレート２６の内面と軸受体２４の内面に案内される。同時に、第１ピン４１によって第１長孔４３の内側面が軸受体２４の移動方向に押圧されるとともに、第２ピン４２によって第２長孔４４の内側面がロック体２５の移動方向に押圧される。すると、各ピン４１、４２によって各長孔４３、４４の内側面が摺動されるとともに、支持体２８はリベット２７を軸として上方から見て時計方向に回動される。
【００３８】
ロック体２５及び支持体２８の水平移動に伴って、図３（ｂ）に示すように第１軸支凹部３３の左側は開口され、この開口部分から上部支軸２２が第１軸支凹部３３に入り込む。すると、図３（ｃ）に示すように、上部支軸２２による各摺動面４５、４６の押圧が解除され、圧縮コイルばね２９の付勢力によって軸受体２４が前枠１５の後方に水平移動する。同時に、第１ピン４１によって第１長孔４３の内側面が軸受体２４の移動方向に押圧される。すると、第１ピン４１によって第１長孔４３の内側面が摺動されるとともに、支持体２８はリベット２７を軸として上方から見て反時計方向に回動される。支持体２８の回動に伴って、第２長孔４４の内側面は第２ピン４２を摺動するとともに、ロック体２５は前枠１５の前方に水平移動する。このとき、第１軸支凹部３３の開口部分は第２軸支凹部３４によって閉口され、上部支軸２２は第１軸支凹部３３と第２軸支凹部３４によって挟持される。また、圧縮コイルばね２９の付勢力によって、第２軸支凹部３４が第１軸支凹部３３の開口部分を閉口した状態に維持されるようになっている。
【００３９】
続いて、外枠１４から前枠１５を取り外すには、図４に示すようにまず外枠１４に対して前枠１５が略直交するように前枠１５を開放する。次に、前枠１５の上部を右方向に押圧し、第１軸支凹部３３の内側面を上部支軸２２に押圧する。すると、第１軸支凹部３３の内側面は上部支軸２２から反力を受けて、図３（ｂ）に示すように軸受体２４が圧縮コイルばね２９の付勢力に抗して前枠１５の前方に水平移動する。同時に、第１ピン４１によって第１長孔４３の内側面が軸受体２４の移動方向に押圧される。すると、第１ピン４１によって第１長孔４３の内側面が摺動されるととも、支持体２８はリベット２７を軸として上方から見て時計方向に回動される。支持体２８の回動に伴って、第２長孔４４の内側面は第２ピン４２を摺動するとともに、ロック体２５は前枠１５の後方へ水平移動する。軸受体２４及びロック体２５の水平移動に伴って、第１軸支凹部３３の左側は開口される。
【００４０】
このとき、第１長孔４３及び第２長孔４４の長手方向は、軸受体２４及びロック体２５が直線運動する方向と直交するように設けられている。従って、軸受体２４の水平移動に伴って第１ピン４１が直線運動する際、第１ピン４１は第１長孔４３の長手方向にスライドすることができる。また、支持体２８の回動に伴って第２長孔４４が回動する際、第２ピン４２は第２長孔４４の長手方向にスライドすることができる。よって、軸受体２４の直線運動は支持体２８の回動を介してロック体２５の直線運動に円滑に伝達することができる。
【００４１】
この開口状態において、前枠１５の上部を外枠１４の前方に傾斜させ、第１軸支凹部３３から上部支軸２２を抜脱させる。続いて、前枠１５を持ち上げることによって、下部支軸５３から下部支軸挿通孔５６を抜脱させる。
【００４２】
本実施形態によって発揮される効果について、以下に記載する。
・　この実施形態の遊技機用のヒンジにおいては、上部前枠ヒンジ１７はヒンジ本体２３と、軸受体２４と、ロック体２５と、案内プレート２６とを備えている。また、ヒンジ本体２３には支持体２８がリベット２７によって回動可能に軸支され、支持体２８によって軸受体２４とロック体２５の直線運動は連動するようになっている。さらに、軸受体２４は圧縮コイルばね２９によって付勢され、圧縮コイルばね２９の付勢力によって第１軸支凹部３３及び第２軸支凹部３４は上部支軸２２を挟持するようになっている。このように構成した場合、上部支軸２２に各摺動面４５、４６を当接させ、前枠１５の上部を外枠１４に向かって押圧することによって上部支軸２２に上部前枠ヒンジ１７を取り付けることができる。また、第１軸支凹部３３及び第２軸支凹部３４に上部支軸２２が支持された状態において、軸受体２４を上部支軸２２に押圧することによって上部支軸２２から上部前枠ヒンジ１７を取り外すことができる。従って、レバー片等の操作部材を手動で操作することなく、上部前枠ヒンジ１７を着脱することができ、外枠１４から前枠１５を容易に着脱することができる。
【００４３】
・　この実施形態の遊技機用のヒンジにおいては、軸受体２４及びロック体２５にはそれぞれ第１ピン４１及び第２ピン４２が設けられている。また、支持体２８には第１長孔４３及び第２長孔４４が透設されている。そして、各ピン４１、４２と各長孔４３、４４の係合によって軸受体２４とロック体２５が連動するようになっている。このように構成した場合、軸受体２４とロック体２５を簡単な構造で連動させることができ、上部前枠ヒンジ１７を簡単な構造にすることができる。
【００４４】
・　この実施形態の遊技機用のヒンジにおいては、第１長孔４３及び第２長孔４４の長手方向は、軸受体２４及びロック体２５が直線運動する方向と直交するように設けられている。よって、軸受体２４又はロック体２５の直線運動を支持体２８の回動に円滑に伝達することができる。また、支持体２８の回動を軸受体２４又はロック体２５の直線運動に円滑に伝達することができる。従って、軸受体２４及びロック体２５のがたつきを抑制することができる。
【００４５】
・　この実施形態の遊技機用のヒンジにおいては、ヒンジ本体２３、軸受体２４、ロック体２５、支持体２８及び案内プレート２６は、板金のプレス加工によって形成されている。このように構成した場合、ダイカスト等の複雑な加工を施すことなく、プレス加工によって容易に製造することができる。また、合成樹脂製の部品を混在させることもなく、板金から一貫して製造することができる。従って、各部材を同一材質で構成することができるため、リサイクル対策において有益である。従って、製造コストを抑制することができるとともに、リサイクルの効率化を求めた構成にすることができる。
【００４６】
なお、前記実施形態を次のように変更して具体化することも可能である。
・　前記実施形態では、支持体２８には第１長孔４３及び第２長孔４４が透設されている。また、軸受体２４及びロック体２５にはそれぞれ第１ピン４１及び第２ピン４２が設けられている。しかし、各長孔４３、４４に替えて、支持体２８に第１ピン４１及び第２ピン４２より直径の長い円孔を２つ透設し、各ピン４１、４２と各円孔の係合によって軸受体２４とロック体２５が連動されるように構成してもよい。
【００４７】
・　前記実施形態では、ヒンジ本体２３は、水平方向に延びるように形成される台座板３０と台座板３０から垂下される固定板３１とから構成され、上部前枠ヒンジ１７は前枠１５の上端隅部に取着されている。しかし、上部前枠ヒンジ１７を外枠１４の上端隅部に取着するとともに、上部外枠ヒンジ１８を前枠１５の上端隅部に取着して使用してもよい。この場合、固定板３１に替えてヒンジ本体２３に水平板１９及び垂直板２０を延設することによって前枠１５の上端隅部に取着することができる。また、この場合、上部軸取付部２１に上部支軸２２を設けずに、上部軸取付部２１を台座部３２として使用してもよい。
【００４８】
・　前記上部前枠ヒンジ１７を前枠１５の下端隅部に取着するとともに、下部前枠ヒンジ５４を前枠１５の上端隅部に取着して使用してもよい。この場合、ヒンジ本体２３を水平方向に延びるように形成される台座板３０と台座板３０から上方に垂設される固定板３１とから構成し、台座部３２の下面に軸受体２４、ロック体２５、及び案内プレート２６の上面が重なるように設ける。さらに、軸受体２４及びロック体２５の下面に支持体２８を設ける。
【００４９】
・　前記実施形態では、軸受体２４及びロック体２５にはそれぞれ第１ピン４１及び第２ピン４２が設けられている。また、支持体２８には第１長孔４３及び第２長孔４４が透設されている。しかし、支持体２８に第１ピン４１及び第２ピン４２を設けるとともに、軸受体２４及びロック体２５にそれぞれ第１長孔４３及び第２長孔４４を設けてもよい。
【００５０】
・　前記実施形態では、第１ばね取付孔３５は軸受体２４に透設されているが、第１ばね取付孔３５をロック体２５に透設してもよい。そして、この第１ばね取付孔３５に対応して台座部３２に第２ばね取付孔３６を透設し、第１ばね取付孔３５及び第２ばね取付孔３６に圧縮コイルばね２９を嵌着させてもよい。この構成によっても、圧縮コイルばね２９の付勢力によって第１軸支凹部３３と第２軸支凹部３４によって上部支軸２２を挟持することができる。
【００５１】
・　前記実施形態では、案内部材として案内プレート２６が設けられ、この案内プレート２６は台座部３２に第１ねじ４９ａによって固定されているが、この案内プレート２６を台座部３２から折り曲げ形成してもよい。また、案内部材としてリベット等を台座部３２に立設して、ロック体２５を案内するように構成してもよい。
【００５２】
・　前記圧縮コイルばね２９を、板ばねやゴム等の他の付勢部材に変更してもよい。
・　板金の材質は鋼鉄、アルミニウム等、特に限定されないが、プレス加工性が良好であり、強度に優れることから鋼鉄が好ましい。
【００５３】
次に、実施形態から把握できる技術的思想について以下に記載する。
（１）　前記ヒンジ本体、軸受体、ロック体、支持体及び案内部材を板金からプレス加工によって形成した請求項１から請求項３のいずれか一項に記載の遊技機用のヒンジ。このように構成した場合、容易に製造できるとともに、合成樹脂から成形した場合と比較して耐久性を向上させることができる。
【００５４】
（２）　前記軸受体及びロック体には斜面状の摺動面が設けられ、該摺動面が支持軸によって摺動されることによって軸受体及びロック体が水平移動する請求項１から請求項３及び上記（１）のいずれか一項に記載の遊技機用のヒンジ。このように構成した場合、摺動面が支持軸に押圧されることによって、軸受体及びロック体は容易に水平移動することができ、支持軸を軸支部に容易に支持させることができる。従って、前枠を外枠にさらに容易に取着することができる。
【００５５】
【発明の効果】
この発明は、以上のように構成されているため、次のような効果を奏する。
請求項１に記載の遊技機用のヒンジによれば、外枠から前枠を容易に着脱することができる。
【００５６】
請求項２に記載の遊技機用のヒンジによれば、請求項１に記載の発明の効果に加えて、簡単な構造にすることができる。
請求項３に記載の遊技機用のヒンジによれば、請求項２に記載の発明の効果に加えて、軸受体及びロック体のがたつきを抑制することができる。
【図面の簡単な説明】
【図１】実施形態における遊技機用のヒンジを示す分解斜視図。
【図２】外枠と前枠の取着部分を示す斜視図。
【図３】（ａ）は閉口状態を示す拡大平面図、（ｂ）は開口状態を示す拡大平面図、（ｃ）は支持軸が支持された状態を示す拡大平面図。
【図４】外枠に前枠が取着された状態を示す斜視図。
【符号の説明】
１１…遊技機としてのパチンコ遊技機、１２…縦枠材、１３…横枠材、１４…外枠、１５…前枠、１６…遊技盤、１７…遊技機用のヒンジとしての上部前枠ヒンジ、２２…支持軸としての上部支軸、２３…ヒンジ本体、２４…軸受体、２５…ロック体、２６…案内部材としての案内プレート、２７…回動軸としてのリベット、２８…支持体、２９…付勢部材としての圧縮コイルばね、３３…軸支部としての第１軸支凹部、３４…軸支部としての第２軸支凹部、４１…ピンとしての第１ピン、４２…ピンとしての第２ピン、４３…長孔としての第１長孔、４４…長孔としての第２長孔。
【図１】
2004008237.tif 000003
【図２】
2004008237.tif 000004
【図３】
2004008237.tif 000005
【図４】
2004008237.tif 000006